(57)【要約】【課題】  封止シールや容器キャップのストロー差込部位を保護することによって、ストロー吸引する飲食品における需要者の不快感や安全上の不安を可及的に解消し得るようにする。【解決手段】  ストロー５を差込む封止シール２のストロー差込部位２１に保護シール３を接着配置して、該ストロー差込部位２１を保護シール３でカバーしてその保護を行う。このとき保護シール３に舌片状の摘み３１を配置するとともに摘み３１から保護シール３の面内方向に一対のミシン目３２を配置することによって剥離部位３３とし、保護シール３の該剥離部位３３を除いた部分を接着シール部位３４として封止シール２に接着重合する。摘み３１には剥離方向の矢印等を印刷する等して、保護シール３を装飾面とする。オーバーキャップ４を用いるときは、これに設けたストロー５の差込穴４１に該保護シール３を配置する。【選択図】  図１
2010184731.tif 000002
【特許請求の範囲】
【請求項１】
容器の開口を密封した封止シールに保護シールを接着重合して上記封止シールの塵埃付着、人手接触等からストロー差込部位の保護を行うようにした容器入り飲食物であって、上記保護シールを、これに配置した摘みからその面内に至る一対のミシン目によって破断自在とした剥離部位と、該剥離部位を除いて上記封止シールの表面に接着した接着シール部位とを備えてなることを特徴とするストロー差込部位保護の容器入り飲食物。
【請求項２】
上記保護シールの摘みを、保護シールからその外周に突出するように配置するとともに該摘みに封止シール表面からの浮上措置を施してなることを特徴とする請求項１に記載のストロー差込部位保護の容器入り飲食物。
【請求項３】
上記摘みの封止シール表面からの浮上措置を、該摘みに施したエンボス加工、折り目加工等の封止シール表面との間で摘みを部分的に非接触とする加工によるものとしてなることを特徴とする請求項１又は２に記載のストロー差込部位保護の容器入り飲食物。
【請求項４】
上記保護シールを、紙、合成樹脂又はこれらの複合材料により表面に装飾面を配置して形成してなることを特徴とする請求項１、２又は３に記載のストロー差込部位保護の容器入り飲食物。
【請求項５】
上記保護シールを、上記封止シールに代えて、該封止シールを被覆するように被嵌したオーバーキャップの表面に接着配置し且つ上記ストロー差込部位を、該オーバーキャップ面内に配置した差込穴としてなることを特徴とする請求項１、２、３又は４に記載のストロー差込部位保護の容器入り飲食物。
【請求項６】
上記オーバーキャップを、紙、合成樹脂又はこれらの複合材料により表面に装飾面を配置して形成してなることを特徴とする請求項５に記載のストロー差込部位保護の容器入り飲食物。
【発明の詳細な説明】
【技術分野】
【０００１】
本発明は、ストロー吸引によって飲食する、コーヒー、ジュースの如き清涼飲料水やゼリー、プリン乃至はこれらとクリームの如き食品を充填した容器入り飲食物における、上記ストロー吸引部位を保護するようにした、ストロー差込部位保護の容器入り飲食物に関する。
【背景技術】
【０００２】
この種の容器入り飲食物は、例えばカップ状容器に充填し、その容器上端に封止シールを熱溶着して容器中の充填物を密封し、また必要に応じて、該封止シールを被覆するようにオーバーキャップを被嵌した状態として、工場出荷し、小売店ではこれを店頭に陳列して、その販売を行うものとされる。
【０００３】
このとき該封止シールは、一般に合成樹脂フィルム、アルミ箔、薄紙、シーラント等の３種乃至４種を積層一体化した３層乃至４層のものを用い、その外周を容器フランジ上に載置し最下層のシーラントを熱溶着して容器を密封するものとし、飲食に際して該封止シール面内の適宜な位置を部分的に破断するようにストローを差込み、該ストローを介してその充填物を吸引飲食するものとされる。また、オーバーキャップを用いるとき、該キャップは、例えば合成樹脂の成形品とされ、外周のスカートを容器のフランジに係合して、封止シールを被覆するものとされ、このとき該オーバーキャップには、その上面にストローを挿入するように配置した透孔又はストローによって押下げて開口するストロー挿入用の差込穴を配置したものとされる。
【先行技術文献】
【特許文献】
【０００４】
【特許文献１】特開２００９−５６９３号公報
【特許文献２】特開２００４−１３６９１８号公報
【発明の概要】
【発明が解決しようとする課題】
【０００５】
この場合、封止シールは上記積層の構造により、相当程度の面強度を確保して充填物の密封封止を行うとともに飲食に際してストローの差込を比較的容易になし得るものとすることができ、また容器キャップを被嵌したものは、封止シールの露出を防止するとともに良好な容器の外観を確保したものとすることができるが、小売段階の店頭陳列によって、例えば、ストロー差込部位をなす、封止シールや容器キャップの表面に僅か乍らも塵埃が付着したり、その表面に人手が接触したりすることも想定され、この場合、需要者に不快感を与え又は安全上の不安を与える可能性が残り、飲食物として、需要者の不快感や安全上の不安を解消する必要がある。
【０００６】
本発明はかかる事情に鑑みてなされたもので、その解決課題とするところは、封止シールや容器キャップのストロー差込部位を保護することによって、ストロー吸引する飲食品における需要者の不快感や安全上の不安を可及的に解消し得るようにしたストロー差込部位保護の容器入り飲食物を提供するにある。
【課題を解決するための手段】
【０００７】
上記課題に沿って本発明は、飲食に際してストローを差込む封止シールのストロー差込部位に保護シールを接着配置して、該ストロー差込部位を保護シールでカバーすることによって、その保護を行うとともに該保護シールを部分剥離し得るものとすることによって、ストロー差込部位の可及的容易な露出を可能として、保護シールを配置しながらその剥離の煩雑性を招くことのないものとするようにしたものであって、即ち請求項１に記載の発明を、容器の開口を密封した封止シールに保護シールを接着重合して上記封止シールの塵埃付着、人手接触等からストロー差込部位の保護を行うようにした容器入り飲食物であって、上記保護シールを、これに配置した摘みからその面内に至る一対のミシン目によって破断自在とした剥離部位と、該剥離部位を除いて上記封止シールの表面に接着した接着シール部位とを備えてなることを特徴とするストロー差込部位保護の容器入り飲食物としたものである。
【０００８】
請求項２に記載の発明は、上記に加えて、摘みが封止シールに密着するごとくに重合することによって、摘みを手持ちすることができないといったトラブルを生じることのないものとするように、これを、上記保護シールの摘みを、保護シールからその外周に突出するように配置するとともに該摘みに封止シール表面からの浮上措置を施してなることを特徴とする請求項１に記載のストロー差込部位保護の容器入り飲食物としたものである。
【０００９】
請求項３に記載の発明は、同じく上記に加えて、上記浮上措置を、可及的簡易な構造にして確実に浮上して摘みの手持ちを容易になし得るものとするとともに可及的低コストのものとするように、これを、上記摘みの封止シール表面からの浮上措置を、該摘みに施したエンボス加工、折り目加工等の封止シール表面との間で摘みを部分的に非接触とする加工によるものとしてなることを特徴とする請求項１又は２に記載のストロー差込部位保護の容器入り飲食物としたものである。
【００１０】
請求項４に記載の発明は、同じく上記に加えて、保護シールを焼却ごみとして処理し得るとともに封止シールに対して違和感のないものとするように、これを、上記保護シールを、紙、合成樹脂又はこれらの複合材料により表面に装飾面を配置して形成してなることを特徴とする請求項１、２又は３に記載のストロー差込部位保護の容器入り飲食物としたものである。
【００１１】
請求項５に記載の発明は、封止シールを被覆するオーバーキャップを用いるとき、上記封止シールに代えて、該オーバーキャップにストロー差込部位保護のための保護シールを接着配置したものとするように、これを、上記保護シールを、上記封止シールに代えて、該封止シールを被覆するように被嵌したオーバーキャップの表面に接着配置し且つ上記ストロー差込部位を、該オーバーキャップ面内に配置した差込穴としてなることを特徴とする請求項１、２、３又は４に記載のストロー差込部位保護の容器入り飲食物としたものである。
【００１２】
請求項６に記載の発明は、上記に加えて、オーバーキャップを、焼却ごみとして処理し得るとともに容器デザインを向上したものとするように、上記オーバーキャップを、紙、合成樹脂又はこれらの複合材料により表面に装飾面を配置して形成してなることを特徴とする請求項５に記載のストロー差込部位保護の容器入り飲食物としたものである。
【００１３】
本発明はこれらをそれぞれ発明の要旨として上記課題解決の手段としたものである。
【発明の効果】
【００１４】
本発明は以上のとおりに構成したから、請求項１に記載の発明は、飲食に際してストローを差込む封止シールのストロー差込部位に保護シールを接着配置して、該ストロー差込部位を保護シールでカバーすることによって、その保護を行うとともに該保護シールを部分剥離し得るものとすることによって、ストロー差込部位の可及的容易な露出を可能として、保護シールを配置しながらその剥離の煩雑性を招くことのないものとするようにして、ストロー吸引する飲食品における需要者の不快感や安全上の不安を可及的に解消し得るようにしたストロー差込部位保護の容器入り飲食物を提供することができる。
【００１５】
請求項２に記載の発明は、上記に加えて、摘みが封止シールに密着するごとくに重合することによって、摘みを手持ちすることができないといったトラブルを生じることのないものとすることができる。
【００１６】
請求項３に記載の発明は、同じく上記に加えて、上記浮上措置を、可及的簡易な構造にして確実に浮上して摘みの手持ちを容易になし得るものとするとともに可及的低コストのものとすることができる。
【００１７】
請求項４に記載の発明は、同じく上記に加えて、保護シールを焼却ごみとして処理し得るとともに封止シールに対して違和感のないものとすることができる。
【００１８】
請求項５に記載の発明は、封止シールを被覆するオーバーキャップを用いるとき、上記封止シールに代えて、該オーバーキャップにストロー差込部位保護のための保護シールを接着配置したものとして、同様に、ストロー吸引する飲食品における需要者の不快感や安全上の不安を可及的に解消し得るようにしたストロー差込部位保護の容器入り飲食物を提供することができる。
【００１９】
請求項６に記載の発明は、上記に加えて、オーバーキャップを、焼却ごみとして処理し得るとともに容器デザインを向上したものとすることができる。
【図面の簡単な説明】
【００２０】
【図１】容器入り飲食物の斜視図である。
【図２】図１の保護シール剥離状態を示す斜視図である。
【図３】図１の容器入り飲食物の平面図である。
【図４】他の例の容器入り飲食物の斜視図である。
【図５】図４の保護シール剥離状態を示す斜視図である。
【図６】図４の容器入り飲食物の平面図である。
【発明を実施するための形態】
【００２１】
以下図面の例に従って本発明を更に具体的に説明すれば、図１乃至図３において、Ａは容器入り飲食物であり、該容器入り飲食物Ａは、容器１の開口を密封した封止シール２に保護シール３を接着重合して上記封止シール２の塵埃付着、人手接触等からストロー差込部位２１の保護を行うようにしてあり、このとき、上記保護シール３は、これに配置した摘み３１からその面内に至る一対のミシン目３２によって破断自在とした剥離部位３３と、該剥離部位３３を除いて上記封止シール２の表面に接着した接着シール部位３４とを備えたものとしてある。
【００２２】
本例にあって容器１は、開口側を径大化し開口端に外側に張出し状のフランジを形成した合成樹脂製のものとしてあり、該開口を覆うように載置した封止シール２を該フランジに熱溶着することによって、該容器１の開口を封止して、これに充填した飲食物を密封したものとしてある。
【００２３】
封止シール２は、例えば合成樹脂フィルム、アルミ箔、薄紙、シーラント等の３種乃至４種を積層一体化した３層乃至４層の常法のものを用いてあり、封止シール２表面に上記保護シール３を接着重合して、該保護シール３によってストロー差込部位２１を、塵埃や人手接触から保護するようにしてある。
【００２４】
本例の保護シール３は、紙、合成樹脂又はこれらの複合材料、本例にあっては、例えばポリエチレン等の合成樹脂フィルムと紙を積層した複合材料により、例えば矩形、円形、楕円等適宜の平面形状をなすように単層又は複層に形成し、該保護シール３を焼却ごみとして処理し得るようにしてあり、また該保護シール３は、その表面を、封止シール２面と一見して識別し得るように表面に印刷を施して、該表面を装飾面とし、封止シールに対して違和感のないものとしてあり、本例にあって該保護シール３は、例えば容器１の外装との調和をとった色調にして、必要に応じて文字や模様を配置したものとしてある。
【００２５】
このとき該保護シール３は、その面内又は外周から部分的に突出した摘み、本例にあっては保護シール３の外周に突出するように配置した、例えば舌片状の摘み３１を配置するとともに該舌片状の摘み３１の両側から保護シール３面内の奥行方向中間位置に向けた上記一対、本例にあっては平行一対のミシン目３２を配置してあり、舌片状の摘み３１から該平行一対のミシン目３２先端間を結ぶ線によって囲繞される面内、本例にあっては摘み３１の両側線に沿う矩形形状部分を、上記剥離部位３３として封止シール２に対して非接着の重合部位としてある。
【００２６】
保護シール３の、本例にあって矩形形状の剥離部位３３を除くその余の部位は、これを封止シール２の表面に接着した接着シール部位３４としてあり、本例にあって該接着シール部位３４は、その面内の全面に接着剤を塗布することによって、封止シール２に対してその全部を接着面として、これに接着重合したものとしてある。
【００２７】
このとき本例の保護シール３の摘み３１は、これに、封止シール２表面からの浮上措置を施したものとしてあり、該摘み３１の封止シール２表面からの浮上措置は、これを、該摘み３１に施したエンボス加工、折り目加工等の封止シール２表面との間で摘みを部分的に非接触とする加工によるものとしてある。
【００２８】
本例にあって該浮上措置は、上記舌片状の摘み３１に対して、その突出方向に交差する、例えば蛇腹状の折り目３６を付したものとしてあり、これによって折り目３６の先端乃至中間を指先で持上げるようにして、飲食に際して該摘み３１を容易且つ確実に摘めるようにしてある。
【００２９】
このように封止シール２に保護シール３を接着重合したことによって、摘み３１を手持ちして、該摘み３１を上方に持上げるようにすれば、ミシン目３２に沿って保護シール３を破断して、その非接着の剥離部位３３を封止シール２から簡易且つ確実に剥離して、該保護シール３によって被覆されていたストロー差込部位２１を露出し、その面内適宜箇所から、封止シール２にストロー５を圧入するように差し込むようにして、ストロー５による飲食物の吸引飲食を行なうことができる。このとき、保護シール３、特にその剥離部位３３がストロー差込部位２１を被覆してこれを保護することによって、小売店での陳列に際して、ストロー差込部位２１に塵埃が付着したり、該ストロー差込部位２１に対する人手接触を解消でき、従ってストロー差込部位２１が露出することによって需要者が抱く不快感や安全上の不安を可及的に解消することができる。
【００３０】
図４乃至図６は、他の例を示すもので、本例にあっては、上記保護シール３を、上記封止シール２に代えて、該封止シール２を被覆するように被嵌したオーバーキャップ４の表面に接着配置し且つ上記ストロー差込部位を、該オーバーキャップ４面内に配置した差込穴４１としたものとしてある。
【００３１】
即ち、本例は、上記封止シール２によって密封した容器１に、該封止シール２を被覆するようにオーバーキャップ４を被嵌した場合に、例えば、上記封止シール２に対する保護シール３の配置を省略する一方、該オーバーキャップ４に形成したストロー５の差込穴４１を被覆するように保護シール３を接着重合するようにした例である。
【００３２】
このときオーバーキャップ４は、封止シール２を熱溶着した容器１のフランジを覆うようにこれを被嵌した、合成樹脂の成形品によるものとすることができるが、本例にあって該オーバーキャップ４は、これを、紙、合成樹脂又はこれらの複合材料により表面に装飾面を配置して形成したものとし、これによって、該オーバーキャップ４を焼却ごみとして処理し得るとともに容器１のデザインを向上したものとしてある。即ち、本例のオーバーキャップ４は、例えば、やや厚手の厚紙を用いて、上面を平坦とし且つ外周に蛇腹状のスカート４２を配置し、その全面を、例えばダークグリーン等の色調にして文字や模様を付したものとしてあり、このときその面内の一部に透設乃至容易に貫通し得るように予め配置した上記ストロー５の差込穴４１を被覆するように、同じく同色系の保護シールを配置したものとしてある。
【００３３】
本例にあって、該保護シール３は、例えば差込穴４１の周辺を被覆するように方形、矩形、円形等の適宜形状にして、オーバーキャップ４を部分的に被覆するものとしてあり、このとき摘み３１、ミシン目３２、これらによって区画する剥離部位３３や接着シール部位３４、浮上措置３６等は、上記と同様又はこれに準じて形成したものとしてある。
【００３４】
本例にあっては、オーバーキャップ４の摘み３１から剥離部位３３を剥離して露出したストロー５の差込穴４１を介して、封止シール２にストロー５を圧入するように差し込むようにして、該ストロー５による飲食物の吸引飲食を行なうことができ、同様にストロー差込部位、即ち差込穴４１に対する需要者の不快感や安全上の不安を解消することができるとともにオーバーキャップ４により容器１のデザインを向上して需要者の購買意欲を増進するものとすることができる。
【００３５】
図中３５は、摘み３１位置の表示及び剥離方向を示すように保護シール３に印刷した文字乃至矢印模様である。
【００３６】
図示した例は以上のとおりとしたが、摘みを保護シールに切り込みを入れてその面内に配置したものとすること、剥離部位を面内方向に拡大した平面形状のものとすること、接着シール部の封止シール表面に対する接着を、該接着シール部を区画するその外周部分において行なうこと、浮上措置を施すとき、摘みに対してエンボス加工その他の該摘みを封止シールに非接触とする措置とすること等を含めて、本発明の実施に当って、容器、封止シール、保護シール、摘み、ミシン目、剥離部位、接着シール部位、必要に応じて用いる摘みの浮上措置、オーバーキャップ、差込穴等の各具体的形状、構造、材質、これらの関係、これらに対する付加等は、上記発明の要旨に反しない限り様々な形態のものとすることができる。
【符号の説明】
【００３７】
Ａ  容器入り飲食物
１  容器
２  封止シール
２１  ストロー差込部位
３  保護シール
３１  摘み
３２  ミシン目
３３  剥離部位
３４  接着シール部位
３５  文字乃至矢印模様
３６  蛇腹状の折り目
４  オーバーキャップ
４１  差込穴
４２  スカート
５  ストロー
【図１】
2010184731.tif 000003
【図２】
2010184731.tif 000004
【図３】
2010184731.tif 000005
【図４】
2010184731.tif 000006
【図５】
2010184731.tif 000007
【図６】
2010184731.tif 000008